(57)【要約】  外周面がモータジェネレータローラ（５）およびエンジンローラ（６）の外周面に接触する方向に付勢された第一アイドラローラ（８）と、外周面がエンジンローラおよび回転ローラ（７）の外周面に接触する方向に付勢された第二アイドラローラ（９）と、外周面が回転ローラおよびモータジェネレータローラの外周面に接触する方向に付勢された第三アイドラローラ（１０）と、を有し、エンジン始動時には、モータジェネレータローラ、第一アイドラローラ、エンジンローラを介してモータジェネレータの駆動力をエンジンに伝達してエンジンを始動し、エンジン始動後は、エンジンローラ、第二アイドラローラ、回転ローラ、第三アイドラローラ、モータジェネレータローラを介してエンジンの駆動力をモータジェネレータに伝達してモータジェネレータにより発電を行うようにした。
2016199185.tif 000002
【特許請求の範囲】
【請求項１】
エンジンのクランク軸と一体に回転するエンジンローラと、  モータジェネレータの回転軸と一体に回転するモータジェネレータローラと、  前記エンジンまたは前記モータジェネレータにより駆動される補機の回転軸と一体に回転する回転ローラと、  外周面が前記モータジェネレータローラおよび前記エンジンローラの外周面に接触する方向に付勢された第一アイドラローラと、  外周面が前記エンジンローラおよび前記回転ローラの外周面に接触する方向に付勢された第二アイドラローラと、  外周面が前記回転ローラおよび前記モータジェネレータローラの外周面に接触する方向に付勢された第三アイドラローラと、を有し、  前記エンジン始動時には、前記モータジェネレータローラ、前記第一アイドラローラ、前記エンジンローラを介して、前記モータジェネレータの駆動力を前記エンジンに伝達して前記エンジンを始動し、  前記エンジン始動後は、前記エンジンローラ、前記第二アイドラローラ、前記回転ローラ、前記第三アイドラローラ、前記モータジェネレータローラを介して前記エンジンの駆動力を前記モータジェネレータに伝達して前記モータジェネレータにより発電を行うことを特徴とする車両用補機駆動装置。
【請求項２】
請求項1に記載の車両用補機駆動装置において、  前記エンジンローラの回転軸方向から見たときに、前記エンジンローラの回転方向に向かって順に前記エンジンローラ、前記回転ローラ、前記モータジェネレータローラを配置したことを特徴とする車両用補機駆動装置。
【請求項３】
請求項1または請求項2に記載の車両用補機駆動装置において、  前記回転ローラは、前記エンジンに冷却水を供給するウォータポンプの駆動軸と一体に回転することを特徴とする車両用補機駆動装置。
【発明の詳細な説明】
【技術分野】
【０００１】  本発明は、車両用補機駆動装置に関するものである。
【背景技術】
【０００２】  この種の技術としては、下記の特許文献1に記載の技術が開示されている。この文献には、エンジン駆動時には、エンジンによりエアコンの圧縮機を駆動するとともに、モータにより発電を行い、エンジン始動時にはモータによりエンジンを始動し、エンジン停止時にはモータにより圧縮機を駆動するものが開示されている。エンジン、モータ、圧縮機はそれぞれの駆動軸に設けられたプーリにベルトが巻回されることにより、駆動力の伝達を行っている。
【先行技術文献】
【特許文献】
【０００３】
【特許文献１】特開2002-201975号公報
【発明の概要】
【発明が解決しようとする課題】
【０００４】  ベルトテンションは、伝達する駆動力が最も大きいものに合わせて調整される。上記特許文献１の技術においてモータをエンジンスタータとしても使用しようとすると、エンジン始動時のクランキングトルクに応じてベルトテンションを調整することとなる。ベルトテンションを高めると、プーリとベルトとの間のフリクションが高くなり、エンジン始動時以外の状況においては、エネルギ効率が悪化する問題があった。  本発明は、上記問題に着目されたもので、その目的とするところは、エンジンスタータおよび発電機としてモータジェネレータを用いる場合にエネルギ効率を向上させることができる車両用補機駆動装置を提供することである。
【課題を解決するための手段】
【０００５】  外周面がモータジェネレータローラおよびエンジンローラの外周面に接触する方向に付勢された第一アイドラローラと、外周面がエンジンローラおよび回転ローラの外周面に接触する方向に付勢された第二アイドラローラと、外周面が回転ローラおよびモータジェネレータローラの外周面に接触する方向に付勢された第三アイドラローラと、を有し、エンジン始動時には、モータジェネレータの駆動力をモータジェネレータローラ、第一アイドラローラ、エンジンローラを介してエンジンに伝達してエンジンを始動し、エンジン始動後は、エンジンの駆動力を第二アイドラローラ、回転ローラ、第三アイドラローラ、モータジェネレータローラを介してモータジェネレータに伝達してモータジェネレータにより発電を行うようにした。
【発明の効果】
【０００６】  よって本発明では、エネルギ効率を向上させることができる。
【図面の簡単な説明】
【０００７】
【図１】実施例1の車両用補機駆動装置の概略システム図である。
【図２】実施例1の車両用補機駆動装置を示す概略図である。
【図３】実施例1の車両用補機駆動装置の模式図である。
【図４】実施例1の車両用補機駆動装置の模式図である。
【図５】実施例1のエンジン始動時の車両用補機駆動装置の各部材の動きを示す図である。
【図６】実施例1のエンジン始動後の車両用補機駆動装置の各部材の動きを示す図である。
【図７】比較例の車両用補機駆動装置を示す概略図である。
【図８】他の実施例の車両用補機駆動装置を示す概略図である。
【符号の説明】
【０００８】1    車両用補機駆動装置2    モータジェネレータ3    エンジン4    ウォータポンプ5    モータジェネレータローラ6    エンジンローラ7    ウォータポンプローラ（回転ローラ）8    第一アイドラローラ9    第二アイドラローラ10    第三アイドラローラ
【発明を実施するための形態】
【０００９】  〔実施例1〕  実施例1の車両用補機駆動装置1について説明する。図1は車両用補機駆動装置1の概略システム図である。図2は車両用補機駆動装置1を示す概略図である。
【００１０】  車両用補機駆動装置1は、エンジン始動時にはモータジェネレータ2からエンジン3にクランキングトルクを伝達する。このクランキングトルクにより、エンジン3を始動させる。車両用補機駆動装置1は、エンジン始動時にはモータジェネレータ2からウォータポンプ4に駆動トルクを伝達する。この駆動トルクによりウォータポンプ4が駆動され、ウォータポンプ4からエンジン3に冷却水が供給される。
【００１１】  車両用補機駆動装置1は、エンジン始動後はエンジン3からモータジェネレータ2に発電トルクを伝達する。この発電トルクによりモータジェネレータ2は発電し、バッテリまたは電気機器に電力を供給する。車両用補機駆動装置1は、エンジン始動後はエンジン3からウォータポンプ4に駆動トルクを伝達する。この駆動トルクによりウォータポンプ4が駆動され、ウォータポンプ4からエンジン3に冷却水が供給される。
【００１２】  車両用補機駆動装置1は、上記の駆動力の伝達をくさび効果を利用したフリクションドライブを用いて行っている。車両用補機駆動装置1は、モータジェネレータ2の駆動軸と一体に回転するモータジェネレータローラ5と、エンジン3のクランク軸と一体に回転するエンジンローラ6と、ウォータポンプ4の駆動軸と一体に回転するウォータポンプローラ7とを有している。
【００１３】  モータジェネレータローラ5とエンジンローラ6とウォータポンプローラ7は、エンジンローラ6の回転方向（図2において時計周り方向）に順に、エンジンローラ6、ウォータポンプローラ7、モータジェネレータローラ5となるように配置されている。
【００１４】  モータジェネレータローラ5とエンジンローラ6との間には、両者の外周面に接触する第一アイドラローラ8が設けられている。第一アイドラローラ8は回転中心部にベアリング8aを介して回動自在に支持されている。第一アイドラローラ8は、モータジェネレータローラ5とエンジンローラ6の外周面に接触する方向に付勢部材8bによって付勢されている。
【００１５】  エンジンローラ6とウォータポンプローラ7との間には、両者の外周面に接触する第二アイドラローラ9が設けられている。第二アイドラローラ9は回転中心部にベアリング9aを介して回動自在に支持されている。第二アイドラローラ9は、エンジンローラ6とウォータポンプローラ7の外周面に接触する方向に付勢部材9bによって付勢されている。
【００１６】  ウォータポンプローラ7とモータジェネレータローラ5との間には、両者の外周面に接触する第三アイドラローラ10が設けられている。第三アイドラローラ10は回転中心部にベアリング10aを介して回動自在に支持されている。第三アイドラローラ10は、ウォータポンプローラ7とモータジェネレータローラ5の外周面に接触する方向に付勢部材10bによって付勢されている。
【００１７】  付勢部材8b,9b,10bによる第一アイドラローラ8、第二アイドラローラ9、第三アイドラローラ10のモータジェネレータローラ5、エンジンローラ6、ウォータポンプローラ7に対する付勢力は、第一アイドラローラ8、第二アイドラローラ9、第三アイドラローラ10と、モータジェネレータローラ5、エンジンローラ6、ウォータポンプローラ7とが離れることがない程度であれば良い。
【００１８】  第一アイドラローラ8、第二アイドラローラ9、第三アイドラローラ10は、第一アイドラローラ8、第二アイドラローラ9、第三アイドラローラ10の回転中心が、モータジェネレータローラ5、エンジンローラ6、ウォータポンプローラ7の回転中心を結ぶ三角形Aの外に位置するように設けられている。
【００１９】  モータジェネレータローラ5、エンジンローラ6、ウォータポンプローラ7の外周面は鉄系金属によって形成されている。第一アイドラローラ8、第二アイドラローラ9、第三アイドラローラ10の外周面は樹脂によって形成されている。
【００２０】  第一アイドラローラ8、第二アイドラローラ9、第三アイドラローラ10の外周面を形成する樹脂の硬度は、モータジェネレータローラ5、エンジンローラ6、ウォータポンプローラ7の外周面を形成する鉄系金属の硬度よりも低いものを用いる。
【００２１】  第一アイドラローラ8、第二アイドラローラ9、第三アイドラローラ10の外周面を形成する樹脂の強度は、モータジェネレータローラ5、エンジンローラ6、ウォータポンプローラ7の外周面を形成する鉄系金属の強度よりも低いものを用いる。
【００２２】  第一アイドラローラ8、第二アイドラローラ9、第三アイドラローラ10の外周面を形成する樹脂は、モータジェネレータローラ5、エンジンローラ6、ウォータポンプローラ7の外周面と、第一アイドラローラ8、第二アイドラローラ9、第三アイドラローラ10の外周面との間の動摩擦係数は0.3以上となる素材が用いられている。
【００２３】  ［くさび効果について］  実施例1の車両用補機駆動装置1では、アイドラローラが接する二つのローラの間に食い込む方向に力が作用することでくさび効果を生じさせ、二つのローラ間で駆動力の伝達を行うようにしている。以下ではくさび効果を生じる際の各ローラの動きについて説明する。
【００２４】  図3は車両用補機駆動装置1の模式図である。図3では第一ローラ20の駆動力をアイドラローラ21を介して第二ローラ22に伝達する様子を示している。第一ローラ20とアイドラローラ21の接線Bと、アイドラローラ21と第二ローラ22の接線Cとは点Dにおいて交わっている。接線Bと接線Cとが成す角の大きさを2αとする。
【００２５】  第一ローラ20の駆動力はアイドラローラ21に伝達される。図3において第一ローラ20が左回転すると、第一ローラ20に接するアイドラローラ21は右回転する。このとき、アイドラローラ21は第一ローラ20との接点において第一ローラ20の回転方向に押される。アイドラローラ21には、第一ローラ20との接点において第一ローラ20の回転方向と同じ方向に力が作用する（力F1）。
【００２６】  アイドラローラ21の駆動力は第二ローラ22に伝達される。図3においてアイドラローラ21が右回転すると、アイドラローラ21に接する第二ローラ22は左回転する。このとき、第二ローラ22はアイドラローラ21との接点においてアイドラローラ21の回転方向に押される。アイドラローラ21には、第二ローラ22との接点において第二ローラ22を押圧する方向とは反対方向に反作用力が作用する（力F2）。
【００２７】  力F1と力F2により、アイドラローラ21には点Dに向かう方向に力が作用する。そのためアイドラローラ21の第一ローラ20および第二ローラ22に対する接触荷重が増加し、第一ローラ20からアイドラローラ21を介して第二ローラ22に駆動力を伝達することができる。
【００２８】  第二ローラ22の負荷が大きくなるほど（第一ローラ20から第二ローラ22に伝達する駆動力が大きくなるほど）、アイドラローラ21に作用する点Dに向かう方向の力は大きくなる。第一ローラ20とアイドラローラ21との間の摩擦力F、またはアイドラローラ21と第二ローラ22との間の摩擦力Fは次の式で求めることができる。  F = τ × Aここでτは、第一ローラ20とアイドラローラ21との間のせん断応力、またはアイドラローラ21と第二ローラ22との間のせん断応力である。Aは第一ローラ20とアイドラローラ21との接触面積、またはアイドラローラ21と第二ローラ22との接触面積である。
【００２９】  せん断応力τは、第一ローラ20とアイドラローラ21との接触面の素材、アイドラローラ21と第二ローラ22との接触面の素材によって決まる。接触面積Aは、アイドラローラ21の外周面に前述の樹脂を用いた場合、アイドラローラ21の第一ローラ20および第二ローラ22に対する接触荷重と相関性が高く、接触荷重が大きくなるほど接触面積Aは大きくなる。
【００３０】  図4は車両用補機駆動装置1の模式図である。図4では第二ローラ22から第一ローラ20への駆動力の伝達が遮断されている様子を示している。  第二ローラ22の駆動力はアイドラローラ21に伝達される。図4において第二ローラ22が左回転すると、第二ローラ22に接するアイドラローラ21は右回転する。このとき、アイドラローラ21は第二ローラ22との接点において第二ローラ22の回転方向に押される。アイドラローラ21には、第二ローラ22との接点において第二ローラ22の回転方向と同じ方向に力が作用する（力F3）。
【００３１】  アイドラローラ21の駆動力は第一ローラ20に伝達される。図4においてアイドラローラ21が右回転すると、アイドラローラ21に接する第一ローラ20は左回転する。このとき、第一ローラ20はアイドラローラ21との接点においてアイドラローラ21の回転方向に押される。アイドラローラ21には、第一ローラ20との接点おいて第一ローラ20を押圧する方向とは反対方向に反作用力が作用する（力F4）。
【００３２】  力F3と力F4により、アイドラローラ21は点Dから離れる方向に力が作用する。そのため第一ローラ20および第二ローラ22に対するアイドラローラ21の接触荷重が減少する。これにより、第二ローラ22からアイドラローラ21への駆動力の伝達、およびアイドラローラ21から第一ローラ20への駆動力の伝達はほとんどされなくなる。
【００３３】  上記のようなくさび効果を発生させるためには、第一ローラ20、アイドラローラ21、第二ローラ22の位置関係は次の式を満たす必要がある。  μ>tanαここでμは、第一ローラ20とアイドラローラ21との間の動摩擦係数およびアイドラローラ21と第二ローラ22との間の動摩擦係数である。
【００３４】  ［補機駆動装置の動作］  （エンジン始動時）  図5はエンジン始動時の車両用補機駆動装置1の各部材の動きを示す図である。エンジン始動時にはモータジェネレータ2の駆動力によって、エンジン3のクランキングを行う。
【００３５】  モータジェネレータ2を駆動し、図5においてモータジェネレータローラ5を右回転させる。モータジェネレータローラ5により第一アイドラローラ8を左回転させ、第一アイドラローラ8によりエンジンローラ6を右回転させる。このとき、第一アイドラローラ8にはモータジェネレータローラ5とエンジンローラ6との間に食い込む方向に力が作用する。これによりモータジェネレータ2の駆動力が第一アイドラローラ8を介してエンジン3に伝達される。
【００３６】  モータジェネレータローラ5からの駆動力により、エンジンローラ6が右回転する。エンジンローラ6により第二アイドラローラ9を左回転させ、第二アイドラローラ9によりウォータポンプローラ7を右回転させる。このとき、第二アイドラローラ9にはエンジンローラ6とウォータポンプローラ7との間に食い込む方向に力が作用する。これによりモータジェネレータローラ5からエンジンローラ6に伝達された駆動力の一部が、第二アイドラローラ9を介してウォータポンプローラ7に伝達される。
【００３７】  モータジェネレータローラ5により第三アイドラローラ10を左回転させ、第三アイドラローラ10によりウォータポンプローラ7を右回転させる。このとき、第三アイドラローラ10にはモータジェネレータローラ5とウォータポンプローラ7との間から離れる方向に力が作用する。これにより第三アイドラローラ10を介してモータジェネレータローラ5からウォータポンプローラ7へ駆動力はほとんど伝達されない。
【００３８】  （エンジン始動後）  図6はエンジン始動後の車両用補機駆動装置1の各部材の動きを示す図である。エンジン始動後にはモータジェネレータ2はエンジン3の駆動力によって発電を行う。
【００３９】  エンジン3の駆動力により、図6においてエンジンローラ6を右回転させる。エンジンローラ6により第二アイドラローラ9を左回転させ、第二アイドラローラ9によりウォータポンプローラ7を右回転させる。このとき、第二アイドラローラ9にはエンジンローラ6とウォータポンプローラ7との間に食い込む方向に力が作用する。これによりエンジンローラ6の駆動力が第二アイドラローラ9を介してウォータポンプローラ7に伝達される。
【００４０】  エンジンローラ6からの駆動力により、ウォータポンプローラ7が右回転する。ウォータポンプローラ7により第三アイドラローラ10を左回転させ、第三アイドラローラ10によりモータジェネレータローラ5を右回転させる。このとき、第三アイドラローラ10にはウォータポンプローラ7とモータジェネレータローラ5との間に食い込む方向に力が作用する。これによりエンジンローラ6からウォータポンプローラ7に伝達された駆動力の一部が、第三アイドラローラ10を介してモータジェネレータローラ5に伝達される。
【００４１】  エンジンローラ6により第一アイドラローラ8を左回転させ、第三アイドラローラ10によりモータジェネレータローラ5を右回転させる。このとき、第一アイドラローラ8にはエンジンローラ6とモータジェネレータローラ5との間から離れる方向に力が作用する。これにより第一アイドラローラ8を介してエンジンローラ6からモータジェネレータローラ5へ駆動力はほとんど伝達されない。
【００４２】  ［作用］  エンジン3から補機との間の駆動力伝達をベルトとプーリを用いて行う場合、伝達する駆動力が大きいほどベルトテンションを高くしなければならない。ベルトテンションを高くすると、ベルトとプーリとの間の摩擦が大きくなり、エネルギ効率が低下するおそれがあった。実施例1のように、モータジェネレータ2によってエンジン始動と発電の両方を行う場合には、駆動力が大きいエンジン3のクランキングトルクに合わせてベルトテンションを高めに設定する必要がある。そのため、エネルギ効率の低下の問題が大きくなる。
【００４３】  そこで実施例1では、外周面がモータジェネレータローラ5およびエンジンローラ6の外周面に接触する方向に付勢された第一アイドラローラ8と、外周面がエンジンローラ6およびウォータポンプローラ7の外周面に接触する方向に付勢された第二アイドラローラ9と、外周面がウォータポンプローラ7およびモータジェネレータローラ5の外周面に接触する方向に付勢された第三アイドラローラ10と、を設けた。そして、エンジン3を始動時には、モータジェネレータ2の駆動力をモータジェネレータローラ5、第一アイドラローラ8、エンジンローラ6を介してエンジン3に伝達してエンジン3を始動するようにした。またエンジン始動後は、エンジン3の駆動力を第二アイドラローラ9、ウォータポンプローラ7、第三アイドラローラ10、モータジェネレータローラ5を介してモータジェネレータ2に伝達してモータジェネレータ2により発電を行うようにした。
【００４４】  これにより、エンジン始動時には第一アイドラローラ8にモータジェネレータローラ5とエンジンローラ6との間に食い込む方向の力が作用するくさび効果を発生させることができる。第一アイドラローラ8のモータジェネレータローラ5およびエンジンローラ6に対する接触荷重はエンジン3の負荷に応じて自然に決まるため、制御により接触荷重を調整する必要はない。
【００４５】  またエンジン始動後は第二アイドラローラ9にエンジンローラ6とウォータポンプローラ7との間に食い込む方向の力が作用するくさび効果を発生させることができる。また第三アイドラローラ10にウォータポンプローラ7とモータジェネレータローラ5との間に食い込む方向の力が作用するくさび効果を発生させることができる。第二アイドラローラ9のエンジンローラ6およびウォータポンプローラ7に対する接触荷重は、ウォータポンプ4とモータジェネレータ2の負荷に応じて自然に決まる。第三アイドラローラ10のウォータポンプローラ7およびモータジェネレータローラ5に対する接触荷重は、モータジェネレータ2の負荷に応じて自然に決まる。
【００４６】  モータジェネレータ2およびウォータポンプ4の負荷は、始動時のエンジン3の負荷に比べて小さい。そのため、エンジン始動後の第二アイドラローラ9のエンジンローラ6およびウォータポンプローラ7に対する接触荷重およびウォータポンプローラ7およびモータジェネレータローラ5に対する接触荷重は、エンジン始動時の第一アイドラローラ8のモータジェネレータローラ5およびエンジンローラ6に対する接触荷重よりも小さくなる。つまり、エンジン始動後の各ローラ間の摩擦は、エンジン始動時の各ローラの摩擦よりも小さく、エネルギ効率の低下を抑制することができる。
【００４７】  図7はエンジンローラ6の回転逆方向（図7において反時計周り方向）に順に、エンジンローラ6、ウォータポンプローラ7、モータジェネレータローラ5となるように配置した例を示す図である。
【００４８】  エンジンローラ6の回転逆方向に順に、エンジンローラ6、ウォータポンプローラ7、モータジェネレータローラ5となるように配置した場合、前述したようなくさび効果を発生させるためには、第一アイドラローラ8、第二アイドラローラ9、第三アイドラローラ10の回転中心が、モータジェネレータローラ5、エンジンローラ6、ウォータポンプローラ7の回転中心を結ぶ三角形Aの内側に位置するように設ける必要がある。第一アイドラローラ8、第二アイドラローラ9、第三アイドラローラ10の回転中心を三角形Aの内側に位置するように設けると、各アイドラローラの干渉を避けるために、アイドラローラを回転軸方向にずらして配置する必要がある。そのため、車両用補機駆動装置1の軸方向寸法が大きくなる。
【００４９】  そこで実施例1では、エンジンローラ6の回転軸方向から見たときに、エンジンローラ6の回転方向に向かって順にエンジンローラ6、ウォータポンプローラ7、モータジェネレータローラ5となるように配置した。
【００５０】  これにより、第一アイドラローラ8、第二アイドラローラ9、第三アイドラローラ10の回転中心が、モータジェネレータローラ5、エンジンローラ6、ウォータポンプローラ7の回転中心を結ぶ三角形Aの外に位置するように設けることができる。各アイドラローラを回転軸に直交する平面上に配置しても干渉することがないため、アイドラローラを回転軸方向にずらして配置する必要はない。そのため、車両用補機駆動装置1の軸方向寸法を小さくすることができる。また第一アイドラローラ8、第二アイドラローラ9、第三アイドラローラ10の回転中心を三角形Aの外に配置されているため、各アイドラローラの交換が容易となる。
【００５１】  くさび効果を利用したフリクションドライブでは、駆動力の伝達は一方向にしか行えない。しかし、実施例1の車両用補機駆動装置1は、エンジン始動時にはモータジェネレータ2からエンジン3に駆動トルクを伝達し、エンジン始動後はエンジン3からモータジェネレータ2に駆動トルクを伝達する必要がある。そのため、駆動力伝達経路を2系統設ける必要がある。
【００５２】  実施例1では、エンジン3からモータジェネレータ2に駆動力を伝達する経路上に、常にエンジン3により駆動されるウォータポンプ4を配置するようにした。これにより、エンジン3からモータジェネレータ2に駆動力を伝達する駆動力伝達系統を、エンジン3からウォータポンプ4に駆動力を伝達する駆動力伝達経路にも利用することができる。よって、別途、エンジン3からウォータポンプ4に駆動力を伝達する駆動力伝達経路を設ける必要がなく、車両用補機駆動装置1の小型化を図る事ができる。
【００５３】  また実施例1では、第一アイドラローラ8、第二アイドラローラ9、第三アイドラローラ10の外周面を形成する樹脂の強度は、モータジェネレータローラ5、エンジンローラ6、ウォータポンプローラ7の外周面を形成する鉄系金属の強度よりも低いものを用いるようにした。
【００５４】  これにより車両用補機駆動装置1の最弱部を第一アイドラローラ8、第二アイドラローラ9、第三アイドラローラ10とすることができる。第一アイドラローラ8、第二アイドラローラ9、第三アイドラローラ10は、補機に接続されているものではない。また第一アイドラローラ8、第二アイドラローラ9、第三アイドラローラ10は、モータジェネレータローラ5、エンジンローラ6、ウォータポンプローラ7と接触するように付勢されているが、第一アイドラローラ8、第二アイドラローラ9、第三アイドラローラ10の取り付け位置精度はさほど高くはなくとも良い。さらに、第一アイドラローラ8、第二アイドラローラ9、第三アイドラローラ10の回転中心を三角形Aの外に配置されている。したがって、第一アイドラローラ8、第二アイドラローラ9、第三アイドラローラ10は、モータジェネレータローラ5、エンジンローラ6、ウォータポンプローラ7よりも交換が容易であり、車両用補機駆動装置1の修理を容易にすることができる。
【００５５】  ［効果］  (1) エンジン3のクランク軸と一体に回転するエンジンローラ6と、モータジェネレータ2の回転軸と一体に回転するモータジェネレータローラ5と、エンジン3またはモータジェネレータ2により駆動されるウォータポンプ4の回転軸と一体に回転するウォータポンプローラ7（回転ローラ）と、外周面がモータジェネレータローラ5およびエンジンローラ6の外周面に接触する方向に付勢された第一アイドラローラ8と、外周面がエンジンローラ6およびウォータポンプローラ7の外周面に接触する方向に付勢された第二アイドラローラ9と、外周面がウォータポンプローラ7およびモータジェネレータローラ5の外周面に接触する方向に付勢された第三アイドラローラ10と、を有し、エンジン始動時には、モータジェネレータローラ5、第一アイドラローラ8、エンジンローラ6を介してモータジェネレータ2の駆動力をエンジンに伝達してエンジン3を始動し、エンジン始動後は、エンジンローラ6、第二アイドラローラ9、ウォータポンプローラ7、第三アイドラローラ10、モータジェネレータローラ5を介してエンジン3の駆動力をモータジェネレータ2に伝達してモータジェネレータ2により発電を行うようにした。  よって、エンジン始動後の各ローラ間の摩擦をエンジン始動時の各ローラの摩擦よりも小さくできエネルギ効率の低下を抑制することができる。
【００５６】  (2) エンジンローラ6の回転軸方向から見たときに、エンジンローラ6の回転方向に向かって順にエンジンローラ6、ウォータポンプローラ7、モータジェネレータローラ5を配置した。  よって、車両用補機駆動装置1の軸方向寸法を小さくすることができる。
【００５７】  (3) ウォータポンプローラ7は、エンジン3に冷却水を供給するウォータポンプ4の駆動軸と一体に回転するようにした。  よって、車両用補機駆動装置1の小型化を図る事ができる。
【００５８】  〔他の実施例〕  以上、本発明を実施するための形態を、図面に基づく実施例により説明したが、本発明の具体的な構成は、実施例に限定されるものではなく、発明の要旨を逸脱しない範囲の設計変更等があっても本発明に含まれる。
【００５９】  実施例1では図2に示すように、各ローラの回転軸方向から見たときにエンジンローラ6の右側にモータジェネレータローラ5が配置されているが、図8に示すようにエンジンローラ6の左側にモータジェネレータローラ5が配置されるようにしても良い。
【００６０】  実施例1のウォータポンプ4の代わりに、エンジン3と同期して駆動するその他の補機を用いても良い。または補機に繋がず固定軸のアイドラローラとしても良い。
【図１】
2016199185.tif 000003
【図２】
2016199185.tif 000004
【図３】
2016199185.tif 000005
【図４】
2016199185.tif 000006
【図５】
2016199185.tif 000007
【図６】
2016199185.tif 000008
【図７】
2016199185.tif 000009
【図８】
2016199185.tif 000010
【国際調査報告】
2016199185.tif 000011
2016199185.tif 000012
2016199185.tif 000013